(57)【特許請求の範囲】
【請求項１】
透液性表面シートと、不透液性裏面シートと、第１面側及びその反対側である第２面側を有して前記表裏面シートの間に介在する吸液性コアとから構成され、縦方向へ延びる両側縁部と、横方向へ延びる両端縁部とを有し、前記表裏面シートと前記コアとから、前胴周り域と、後胴周り域と、それらの間の股下域とが形成され、弾性部材が、その伸長状態において、前記両側縁部と前記両端縁部とからそれぞれ内方へ離間する前記コアの前記第１面側を所要領域にわたって囲繞するように該第１面側に配置され、前記コアの剛性に抗って収縮することで、前記コアの前記所要領域が前記コアの前記第２面側へ湾曲している使い捨ておむつにおいて、
前記弾性部材が、前記おむつの両側縁部の間の寸法を二分する縦中心線近傍を中心として前記コアの所要領域を囲繞し、前記おむつの両端縁部の間の寸法を二分する横中心線近傍から前記前胴周り域の端縁部近傍へ至る前半部分と前記横中心線近傍から前記後胴周り域の端縁部近傍へ至る後半部分とに配置され、前記前半部分における前記弾性部材が前記コアの前記第２面側における所要領域を囲繞することで、前記第２面側における所要領域が前記第１面側へ湾曲して隆起部が形成され、前記後半部分における前記弾性部材が前記コアの前記第１面側における第２所要領域を囲繞することで、前記第１面側における所要領域が前記第２面側へ湾曲して凹陥部が形成されていることを特徴とする前記おむつ。
【請求項２】
前記弾性部材に囲繞された前記コアの所要領域における該コアの厚さが、前記弾性部材に囲繞されていない前記コアの厚さよりも薄くされている請求項１に記載のおむつ。
【発明の詳細な説明】
【０００１】
【発明の属する技術分野】
本発明は、人体の排泄物を吸収、保持する使い捨ておむつに関する。
【０００２】
【従来の技術】
実開平６−５６１４号公報は、透液性表面シートと不透液性裏面シートとの間に介在する吸液性コアとから物品本体を構成し、着用者の臀部が当接する領域の本体にコアの上面から底面方向へ凹む大便保持用の凹陥部が形成された使い捨ておむつを開示している。同号公報に開示のおむつは、コアに形成された凹陥部に排泄された便を収容することでおむつからの便の漏れを防ぐことができる。
【０００３】
実開平７−２７５２４号公報は、透液性表面シートと、不透液性裏面シートと、それらシートの間に介在する吸液性コアとを有し、前身頃から股下域にかけて長手方向へ延在する一対のフラップが取り付けられ、フラップの間に位置するコアに、コアの上面から上方へ隆起する隆起部が形成された使い捨ておむつを開示している。同号公報に開示のおむつは、陰茎をコアの隆起部に当接させることで排泄された尿をコアに素早く吸収させることができる。
【０００４】
【発明が解決しようとする課題】
それら公報に開示されたおむつの組み合わせにおいて、着用者の臀部が位置するコアの領域に、コアの上面から底面方向へ凹む大便保持用の凹陥部を形成し、着用者の陰茎が位置するコアの領域に、コアの上面から上方へ隆起する隆起部を形成したおむつを構想することができる。
【０００５】
しかし、コアに凹陥部を形成する場合では、凹陥部の深さ寸法に釣り合うようにコアの厚みを増やさなければならない。コアに隆起部を形成する場合では、隆起部の高さ寸法だけコアの厚みを増やさなければならない。ゆえに、コアに凹陥部と隆起部との両者を形成すると、コア全体の厚みが相対的に増し、コアが嵩張っておむつを着用したときに着用者に違和感を与える。また、コアの製造技術の改良によって排泄物の吸収力が向上し、薄型のコアが主流となっている近年では、所要の深さ寸法を必要とする凹陥部と所要の高さ寸法を必要とする隆起部とをコアに形成することが難しい。
【０００６】
本発明の課題は、コアにあらかじめ凹陥部や隆起部を形成することなく、コアの所要の領域に凹陥部や隆起部を形成することができる使い捨ておむつを提供することにある。
【０００７】
【課題を解決するための手段】
前述した課題を解決するための本発明は、透液性表面シートと、不透液性裏面シートと、第１面側及びその反対側である第２面側を有して前記表裏面シートの間に介在する吸液性コアとから構成され、縦方向へ延びる両側縁部と、横方向へ延びる両端縁部とを有し、前記表裏面シートと前記コアとから、前胴周り域と、後胴周り域と、それらの間の股下域とが形成され、弾性部材が、その伸長状態において、前記両側縁部と前記両端縁部とからそれぞれ内方へ離間する前記コアの前記第１面側を所要領域にわたって囲繞するように該第１面側に配置され、前記コアの剛性に抗って収縮することで、前記コアの前記所要領域が前記コアの前記第２面側へ湾曲している使い捨ておむつを改良することにある。
【０００８】
改良に係る本発明の特徴は、前記弾性部材が、前記おむつの両側縁部の間の寸法を二分する縦中心線近傍を中心として前記コアの所要領域を囲繞し、前記おむつの両端縁部の間の寸法を二分する横中心線近傍から前記前胴周り域の端縁部近傍へ至る前半部分と前記横中心線近傍から前記後胴周り域の端縁部近傍へ至る後半部分とに配置され、前記前半部分における前記弾性部材が前記コアの前記第２面側における所要領域を囲繞することで、前記第２面側における所要領域が前記第１面側へ湾曲して隆起部が形成され、前記後半部分における前記弾性部材が前記コアの前記第１面側における第２所要領域を囲繞することで、前記第１面側における所要領域が前記第２面側へ湾曲して凹陥部が形成されていることにある。
【０００９】
本発明は、以下の実施の態様を含むことができる。
【００１０】
【００１１】
【００１２】
【００１３】
前記弾性部材に囲繞された前記コアの所要領域における該コアの厚さが、前記弾性部材に囲繞されていない前記コアの厚さよりも薄くされている。
【００１４】
【発明の実施の形態】
添付の図面を参照して、本発明に係る使い捨ておむつの詳細を説明すると、以下のとおりである。
【００１５】
図１，２は、使い捨ておむつ１の部分破断斜視図と、図１のＡ−Ａ線断面図とであり、図３は、図１のＢ−Ｂ線断面図である。おむつ１は、透液性表面シート２と、不透液性裏面シート３と、表面シート２と裏面シート３との間に介在し、それらシート２，３の少なくとも一方の内面に接合された吸液性コア４とを主要な構成部材とする。おむつ１は、縦方向が前胴周り域２０と、後胴周り域２２と、前後胴周り域２０，２２の間に位置する股下域２１とから形成され、互いに並行して縦方向へ延び、股下域２１においておむつ１の横方向内方へ向って弧を画く両側縁部１ａと、互いに並行して横方向へ延びる両端縁部１ｂとを有する。おむつ１には、コア４の両側縁部４ｃの近傍に位置して縦方向へ延びる一対の防漏カフ７が取り付けられている。
【００１６】
おむつ１には、おむつ１の両端縁部１ｂの間の寸法を二分して横方向へ延びる横中心線Ｙ近傍から後胴周り域２２の端縁部１ｂ近傍へ至る後半部分Ａ２に、コア４の所要領域を囲繞して延びる弾性部材５が配置されている。
【００１７】
弾性部材５は、おむつ１の両側縁部１ａの間の寸法を二分して縦方向へ延びる縦中心線Ｘ近傍を中心として環状に延び、コア４の上面の側に位置して表面シート２とコア４との間に介在し、表面シート２の内面とコア４の上面とに伸長状態で取り付けられている。弾性部材５は、コア４の剛性に抗って収縮することが可能であり、その収縮によって弾性部材５に囲繞されたコア４の領域４ａを弾性部材５の周方向内方へ向かって収縮させるように作用する。
【００１８】
おむつ１では、弾性部材５の周方向内方へ向かって収縮したコア４の領域４ａがおむつ１の下方へ凹み、コア４の領域４ａに凹陥部６が形成されている。凹陥部６は、着用者の臀部が位置するおむつ１の後半部分Ａ２に形成されているので、排泄された便を凹陥部６で収容、保持することができる。凹陥部６に収容された便は表面シート２を透過してコア４に吸収される。
【００１９】
防漏カフ７は、コア４の両側縁部４ｃの外側近傍に位置する表面シート２の両側部分２ａに固着されて縦方向へ延びる固定側部７ａと、股下域２１に位置しておむつ１の横方向内方へ向って延び、おむつ１の上方へ起立性向を有する自由側部７ｂと、おむつ１の横方向内方へ倒伏された状態でおむつ１の両端縁部１ｂに位置する表面シート２に固着された固定両端部７ｃとを有する。カフ７の自由側部７ｂには、縦方向へ延びる弾性部材８が自由側部７ｂの一部に被覆された状態で伸長下に取り付けられている。
【００２０】
おむつ１の両側縁部１ａには、縦方向へ延びる脚周り用弾性部材９が裏面シート３の両側部分３ａとカフ７の固定側部７ａからおむつ１の横方向外方へ延びるカフ７の両側部分７ｄとの間に介在し、裏面シート３の両側部分３ａとカフ７の両側部分７ｄとのうちの少なくとも一方の内面に伸長状態で取り付けられている。
【００２１】
おむつ１の両端縁部１ｂには、横方向へ延びるフィルム状の胴周り用弾性部材１０が表面シート２と裏面シート３との間に介在し、それらシート２，３の少なくとも一方の内面に伸長状態で取り付けられている。おむつ１の後胴周り域２２における両側縁部１ａには、横方向内方へ延びるテープファスナ１１の基端部が取り付けられている。おむつ１の前胴周り域２０における裏面シート３の外面には、テープファスナ１１の止着域となる矩形のターゲットテープ１２が取り付けられている。
【００２２】
おむつ１の両側縁部１ａでは、図２に示すように、表面シート２の両側部分２ａがコア４の両側縁部４ｃの外側近傍で終わり、表面シート２の両側部分２ａからさらに横方向外方へ裏面シート３の両側部分３ａとカフ７の両側部分７ｄとが延び、表裏面シート２，３とカフ７との両側部分２ａ，３ａ，７ｄが互いに重なり合った状態で固着されている。
【００２３】
図１では、脚周り用弾性部材９と胴周り用弾性部材１０とカフ７の自由側部７ｂに取り付けられた弾性部材８との伸長状態が解除され、おむつ１の両側縁部１ａおよび両端縁部１ｂとカフ７の自由側部７ｂとに沿ってギャザーが形成されている。おむつ１は、その内面を内側にして縦方向へ湾曲し、カフ７の自由側部７ｂに取り付けられた弾性部材８が収縮してカフ７の自由側部７ｂがおむつ１の内面から起立している。おむつ１では、カフ７の自由側部７ｂと表面シート２とがおむつ１の横方向内方へ向かって開口するポケットＰを形成している。
【００２４】
おむつ１は、テープファスナ１１の自由端部の内面に塗布された粘着剤（図示せず）を介して、ターゲットテープ１２にテープファスナ１１の自由端部を止着すると、左右一対の脚周り開口と、胴周り開口とが形成される（図示せず）。
【００２５】
図４，５は、図１とは異なる態様のおむつ１の斜視図と、図４のＣ−Ｃ線断面図とである。おむつ１は、表面シート２と裏面シート３との間にコア４が介在し、おむつ１の縦方向が前後胴周り域２０，２２と前後胴周り域２０，２２との間に位置する股下域２１とから形成され、両側縁部１ａと両端縁部１ｂとおむつ１の内面から起立性向を有する防漏カフ７とを有する点において図１のそれと同一である。
【００２６】
おむつ１には、おむつ１の後半部分Ａ２とおむつ１の横中心線Ｙ近傍から前胴周り域２０の端縁部１ｂ近傍へ至る前半部分Ａ１とに、コア４の所要領域を囲繞して延びる弾性部材５が配置されている。弾性部材５各々は、縦中心線Ｘ近傍を中心として環状に延び、コア４の上面の側に位置して表面シート２とコア４との間に介在し、表面シート２の内面とコア４の上面とに伸長状態で取り付けられている。弾性部材５各々は、コア４の剛性に抗って収縮することが可能であり、その収縮によって弾性部材５に囲繞されたコア４の領域４ａ，４ｂを弾性部材５の周方向内方へ向かって収縮させる。
【００２７】
おむつ１の前半部分Ａ１と後半部分Ａ２とには、弾性部材５の周方向内方へ向かって収縮したコア４の領域４ａ，４ｂがおむつ１の下方へ凹み、コア４の領域４ａ，４ｂに凹陥部６各々が形成されている。図４のおむつ１は、おむつ１の前半部分Ａ１に凹陥部６が形成されているので、陰茎を凹陥部６に収容可能であり、男性用のおむつとして好適である。
【００２８】
図６，７は、図１，４とは異なる態様のおむつ１の斜視図と、図６のＤ−Ｄ線断面図とである。おむつ１は、表面シート２と裏面シート３との間にコア４が介在し、おむつ１の縦方向が前後胴周り域２０，２２と前後胴周り域２０，２２との間に位置する股下域２１とから形成され、両側縁部１ａと両端縁部１ｂとおむつ１の内面から起立性向を有する防漏カフ７とを有する点において図１，４のそれらと同一である。
【００２９】
おむつ１の前半部分Ａ１と後半部分Ａ２とには、コア４の所要領域を囲繞して延びる弾性部材５，１３が配置されている。弾性部材５，１３各々は、縦中心線Ｘ近傍を中心として環状に延びている。前半部分Ａ１に配置された弾性部材１３は、コア４の下面の側に位置して裏面シート３とコア４との間に介在し、裏面シート３の内面とコア４の下面とに伸長状態で取り付けられている。後半部分Ａ２に配置された弾性部材５は、コア４の上面の側に位置して表面シート２とコア４との間に介在し、表面シート２の内面とコア４の上面とに伸長状態で取り付けられている。
【００３０】
弾性部材５，１３に囲繞されたコア４の領域４ａ，４ｂでは、コア４の厚みが弾性部材５，１３の外側に位置するコア４のそれよりも薄くなっている。コア４の領域４ａ，４ｂでは、コア４の厚みが薄いので、コア４の剛性が弾性部材５，１３の外側に位置するコア４のそれよりも小さく、コア４の領域４ａ，４ｂが弾性部材５，１３の周方向内方へ向かって収縮し易い。
【００３１】
弾性部材５，１３は、コア４の剛性に抗って収縮することが可能であり、その収縮によって弾性部材５，１３に囲繞されたコア４の領域４ａ，４ｂを弾性部材５，１３の周方向内方へ向かって収縮させる。
【００３２】
おむつ１の前半部分Ａ１では、弾性部材１３の周方向内方へ向かって収縮したコア４の領域４ｂがおむつ１の上方へ隆起し、コア４の領域４ｂに隆起部１４が形成されている。おむつ１の後半部分Ａ２では、弾性部材５の周方向内方へ向かって収縮したコア４の領域４ａがおむつ１の下方へ凹み、コア４の領域４ａに凹陥部６が形成されている。図６のおむつ１は、おむつ１の前半部分Ａ１に隆起部１４が形成されているので、隆起部１４が着用者の陰門に当接可能であり、女性用のおむつとして好適である。
【００３３】
おむつ１には、おむつ１の前半部分Ａ１と後半部分Ａ２とにおけるコア４の下面の側に、環状に延びる弾性部材１３が配置され、弾性部材１３それぞれがコア４の下面の側に位置して裏面シート３とコア４との間に介在し、裏面シート３の内面とコア４の下面とに伸長状態で取り付けられていてもよい。この場合では、弾性部材１３各々がコア４の剛性に抗って収縮したときに、おむつ１の前半部分Ａ１と後半部分Ａ２とにおける弾性部材１３に囲繞されたコア４の領域４ａ，４ｂにおむつ１の上方へ隆起する隆起部１４が形成される。おむつ１の後半部分Ａ２に隆起部１４を形成する場合では、隆起部１４が着用者の臀部に当接するので、排泄物のうち軟便が多い月齢児に好適である。
【００３４】
おむつ１には、おむつ１の前半部分Ａ１にのみ凹陥部６と隆起部１４とのいずれか一方が形成されていてもよく、おむつ１の後半部分Ａ２にのみ隆起部１４が形成されていてもよい。また、おむつ１の前半部分Ａ１に凹陥部６が形成され、おむつ１の後半部分Ａ２に隆起部１４が形成されていてもよい。おむつでは、弾性部材５が少なくともコア４の上面に固着され、弾性部材１３が少なくともコアの下面に固着されていればよく、表面シート２と裏面シート３とに固着されていなくてもよい。
【００３５】
表面シート２には、透液性の不織布や開孔プラスチックフィルム、好ましくは透液性であって親水性のシートが使用される。裏面シート３には、疎水性の不織布、不透液性のプラスチックフィルム、疎水性の不織布とプラスチックフィルムとのラミネートシート、好ましくは通気不透液性のシートが使用される。カフ７には、疎水性の不織布、好ましくは通気不透液性のシートが使用される。
【００３６】
不織布としては、スパンレース、ニードルパンチ、メルトブローン、サーマルボンド、スパンボンド、ケミカルボンド等の不織布を使用することができる。また、高い耐水性を有するメルトブローン不織布の両面を高い強度を有しかつ柔軟性に富んだスパンボンド不織布で挟んだもの（ＳＭＳ不織布）を使用することもできる。ＳＭＳ不織布は、メルトブローン不織布をスパンボンド不織布で挟んだ後、プレス加工の技術を利用してメルトブローン不織布とスパンボンド不織布とを互いに固着して製造される。不織布の構成繊維としては、ポリオレフィン系、ポリエステル系、ポリアミド系、の各繊維、ポリエチレン／ポリプロピレンまたはポリエステルの複合繊維等を使用することができる。
【００３７】
コア４は、フラッフパルプと高吸収性ポリマー粒子との混合物であり、所要の厚みに圧縮され、全体がティシュペーパ等の透水性シート（図示せず）によって被覆されている。コア４の接合、弾性部材５，８，９，１０，１３の取り付け、シート２，３どうしの固着、カフ７の固着には、ホットメルト接着剤等の接着剤や粘着剤や熱溶着の技術を利用することができる。
【００３８】
【発明の効果】
本発明に係る使い捨ておむつによれば、後半部分に形成された凹陥部に排泄便を収容することができるとともに、前半部分に形成された隆起部が陰門に当接して排泄尿を素早く吸収させることができる。
【００３９】
【図面の簡単な説明】
【図１】使い捨ておむつの部分破断斜視図。
【図２】図１のＡ−Ａ線断面図。
【図３】図１のＢ−Ｂ線断面図。
【図４】図１とは異なる態様のおむつの部分破断斜視図。
【図５】図４のＣ−Ｃ線断面図。
【図６】図１，４とは異なる態様のおむつの部分破断斜視図。
【図７】図６のＤ−Ｄ線断面図。
【符号の説明】
１          使い捨ておむつ
１ａ        両側縁部
１ｂ        両端縁部
２          透液性表面シート
３          不透液性裏面シート
４          吸液性コア
４ａ        領域
４ｂ        領域
５          弾性部材
６          凹陥部
１３          弾性部材
１４          隆起部
２０          前胴周り域
２１          股下域
２２          後胴周り域
Ａ１          前半部分
Ａ２          後半部分
Ｘ            縦中心線
Ｙ            横中心線
【図１】
0003592599.tif 000002
【図２】
0003592599.tif 000003
【図３】
0003592599.tif 000004
【図４】
0003592599.tif 000005
【図５】
0003592599.tif 000006
【図６】
0003592599.tif 000007
【図７】
0003592599.tif 000008